(57)【特許請求の範囲】
【請求項１】
厚さを有する略矩形の体積を形成するシールド手段と、
上記シールド手段によって画成される上記体積内に配置され支持される第１の印刷回路板とを含み、
上記第１の印刷回路板は、ＲＦ信号を処理するための同調回路から構成され、上記第１の印刷回路板の縁から上記シールド手段の第１の開口を通り延在し、電力を受け取り、出力信号を供給するための複数の端子が設けられ、
上記第１の印刷回路板は導電ピン／リード線から構成されるＲＦ信号入力手段を有し、
上記導電ピン／リード線は、上記第１の印刷回路板の上記縁から遠位にあり、上記第１の印刷回路から上記シールド手段の第２の開口を通り延在し、その上に上記シールド手段を取り付けることが可能である第２の印刷回路板のＲＦ信号伝送導体に直接的に接続することが可能であるＲＦ同調器装置。
【請求項２】
上記シールド手段は、上記ＲＦ信号入力ピン／リード線が上記第１の印刷回路板から延出し上記第２の印刷回路板の上記導体に接続することによって上記第２の印刷回路板に取り付け可能である請求項１記載の同調器装置。
【請求項３】
上記ＲＦ入力信号は、遠位のコネクタを介しＲＦ源から上記導体に接続される上記請求項２記載の同調器装置。
【請求項４】
厚さを有する略矩形の体積を形成するシールド手段と、
上記シールド手段によって画成される上記体積内に配置され支持される第１の平面印刷回路板とを含み、
上記第１の平面印刷回路板は、ＲＦ信号を処理するための同調回路から構成され、上記第１の平面印刷回路板の縁から上記シールド手段の第１の開口を通り延在し、電力を受け取り、出力信号を供給するための複数の端子が設けられ、
上記第１の平面印刷回路板は導電ピン／リード線用の受信器から構成されるＲＦ信号入力手段を有し、
上記導電ピン／リード線は上記第１の平面印刷回路板の上記縁から遠位にあり、上記第１の平面印刷回路板から上記シールド手段の第２の開口を通り延在し、その上に上記シールド手段を取り付けることが可能である第２の平面印刷回路板のＲＦ信号伝送導体に直接的に接続することが可能であるＲＦ同調器装置。
【請求項５】
上記シールド手段は、上記第１の平面印刷回路板の平面と上記第２の平面印刷回路板の平面とが平行となり、上記ＲＦ信号入力ピン／リード線が上記第２の平面印刷回路板から延在し上記第１の印刷回路板の上記受信器に接続することにより上記第２の平面印刷回路板に取り付けられる請求項４記載の同調器装置。
【請求項６】
上記ＲＦ入力信号は、遠位にあるコネクタを介しＲＦ源から上記導体に接続される請求項５記載の同調器装置。
【発明の詳細な説明】
【０００１】
【発明の属する技術分野】
本発明は、同調印刷回路板と、他の回路に相互接続する為のワイヤリング端子を除いて同調印刷回路板を囲むシールドボックスとを含む同調器組立体に関する。
【０００２】
【従来の技術】
テレビジョン同調器又は他の高周波数受信装置において、同調器は通常、回路素子が上に設けられ、シールドケースに収納される印刷回路板を含む。このことは、コネクタを介し受信器に接続されるべきアンテナ、ＣＡＴＶ装置、又はＤＳＢ装置から受信する信号のような低いレベルのＲＦ信号では一般的であり、コネクタによって受信器が上述のようなＲＦ源に容易に接続するか又はＲＦ源から容易に切断される。このようなＲＦ信号は、受信器内の同調器の部分において処理される。信号の観点から見てみると、同調器の印刷回路板はシールドケース内においてＲＦコネクタの場所に配置されることが最適である。テレビジョン同調器又は他の高周波数装置では、回路素子が上に取り付けられる回路板は、Goldsteinの米国特許第５，０５３，９１０号に示されるようにシールドケース内に収容され、ＲＦ信号は、ＲＦコネクタからコネクタの背部に取り付けられる印刷回路板に導電ピンを介し直接的に接続される。しかし、通常の場合は、上記は実際的でなく、同調器はＲＦ信号入力コネクタから遠距離に配置される。
【０００３】
更に、シャシがよくＡＣラインの１つの側に接続されることによる「熱いシャシ」に対する考慮をしなければならないので、外側から接近可能なＲＦコネクタに衝撃による破損に対する保護措置を用いる必要がよくある。このような状況はLehmann外の米国特許第５，３５１，０１８号及びYeomの米国特許第４，８１６，６１２号に示される。このような「絶縁障壁」保護措置はコネクタと同調器との間に設けられ、同調器がＲＦ信号入力コネクタから遠距離に配置されることが要求される。
【０００４】
上述されたような状況において、ＲＦ信号のレベルは低いので、ＲＦ信号を受信するための相補的コネクタを有するモジュラー同調器に信号を伝送する為には、遠位の端にコネクタを有するシールドされた同軸インタフェースケーブルを使用することが望ましい。このような状況は、上述の米国特許第４，８１６，６１２号に示される。上述のようなシールドされたケーブルを受け取るためのコネクタを有し水平に取り付けられる同調器は、マツザキの米国特許第６，００１，７００号、Maier外の米国特許第４，９２０，４５５号、及びニゴリカワの米国特許第４，６２８，４１２号に示される。
【０００５】
【発明が解決しようとする課題】
シールドされるケーブルと一組の相補的コネクタはかなりの費用を要し、これらの部品にかかる費用は、これらの部品をそれぞれ組立てる際にかかる費用と共に削除されることが望ましく、特に非常に高い競争率で価格決定が行われる消費者電子製品において望ましい。
【０００６】
更に、シールドされたケーブルが使用されないときは、外部の信号を捕捉することを排除し、また、例えば受信器が大きい信号レベルを有するケーブルシステムに使用される場合にＲＦ信号の放射を阻止するよう同調器への接続は直接的かつ短いことが望ましい。これは、同調器に入力されるＲＦ信号が、印刷回路板のエッジコネクタと接触するよう同調印刷回路板上の長い導電路に沿って通されなければならない場合に当てはまる。更に、長いシールドされていないリード線は、末端点においてインピーダンスの不一致をもたらす。
【０００７】
【課題を解決するための手段】
シールドされたモジュラー同調器はシャシ印刷回路板上に水平方向に取り付けられ、シールド内の開口を通り同調回路板の縁からシャシ印刷回路板に接続され、電力供給、制御信号、処理された信号を出力するため等のリード線が設けられる。しかし、ＲＦ信号は、シールド内の第２の開口を通りシャシ印刷回路板上のＲＦ信号導電路から信号が同調処理のために入力されるべき同調印刷回路板上の点に直接的に延在する導電ピンを介し同調器に接続される。このような方法により、ＲＦ信号は、同調印刷回路板の縁からの長い路に沿って通されることなく、かつ、シールドされた同軸ケーブル及び付随するコネクタの必要なく、ＲＦ信号が必要とされる場所に正確に直接的に入れられる。
【０００８】
【発明の実施の形態】
一般的に、同調器組立体はシールドボックスによって囲まれる同調印刷回路板を有する。シールドボックスは、他の回路に相互接続する為のワイヤリング端子を除き同調印刷回路板を取り囲み、このことは従来技術において既知である。シールドされた体積内の同調印刷回路板及び同調印刷回路板上に配置される素子は、外部の信号及び外部の電磁界によって生じる電磁的妨害から遮蔽される。このことは特に、アンテナ又は他のアンテナのようなソースから入来するＲＦ信号が、それらの信号レベルは非常に低く、また、信号は更に増幅されていないので特に重要である。
【０００９】
より詳細には、図１及び図２を参照するに、テレビ受像機、ＶＣＲ、又は他の高周波数装置用の同調器１０は、回路素子（図示せず）が上に取り付けられる同調印刷回路板１２を含み、回路素子は同調印刷回路板１２と共に、導電性のバネ付きフィンガ１６等によって一体となるよう組立てられる導電性枠台１４ａ、導電性上蓋１４ｂ、及び導電性底蓋１４ｃを有するシールドケース１４内に取り付けられる。同調器１０をシャシ印刷回路板２０上に取り付けるためにつまみ１８が設けられ、はんだ付け、撚り合わせ等を行うことによってシールドケース１４を電気的に接地させるよう使用することが可能である。シャシ印刷回路板２０上の導電路２４にそれぞれ接続する導電性のピン／リード線２２が印刷回路板１２の縁に設けられる。
【００１０】
上述されたような機械的な構成は従来技術において既知である。同調回路の特定の構成及び動作は本発明の一部を形成せず、従って、以下に開示される及び／又は記載される本発明を説明する際に必要とされるとき以外には、詳細に説明しない。
【００１１】
本発明の面によると、リード線は上述されたような理由により、ＲＦ信号に対し、短くかつ直接的であることが好適である。これを実現するために、他の同調回路リード線１５のように、同調回路入力端子から印刷回路板１２の縁１３に通じる長くかつ蛇行している場合のあるＲＦ信号入力リード線を使用するのではなく、導電ピン／リード線２６は同調回路入力に接続され、底板１４ｃの開口３０を通り印刷回路板１２から遠ざかるよう延在し、シャシ印刷回路板２０上に配置されＲＦ信号を伝送する導体２８に接続される。このような方法により、ＲＦ信号は同調器に短い距離でかつ直接的に入力されるだけでなく、ＲＦ信号を伝送する導体の長さも減らすことが可能となる。更に、シールドボックス１４の本体の遮蔽効果は、シールドボックスが付近に存在することにより導体２８をシールドするよう作用する。更に、シールドは、同調印刷回路板に実施されるものと同様の接地された印刷回路導体（図示せず）が付近にあることによって導体２８に与えられ得る。ＲＦ信号は、接続コネクタによって導体２８に接続され、接続コネクタは、適当である場合には絶縁障壁回路（図示せず）を介しＲＦ信号を装置に接続する。
【００１２】
従って、ＲＦ信号入力は、装置のＲＦ信号入力コネクタからのＲＦ信号を伝送する同軸ケーブル及び関連のコネクタの費用がかかることなく、短くかつ直接的な路を通り同調器に接続される。
【００１３】
図中、印刷回路板１２及び２０は平面状かつ固定されているように示されるが、印刷回路板１２、２０のうちの一方か或いは両方が固定されていないことも本発明の意図する範囲内である。
【図面の簡単な説明】
【図１】同調印刷回路の縁に取り付けられたピンと、印刷回路の縁に取り付けられたピンから遠位にありシールドから突出しているＲＦ入力ピン／リードとを有し、水平方向に取り付けられ、シールドされた同調器モジュールを示す底面からの斜視図である。
【図２】ＲＦ入力ピンがシャシ印刷回路板のＲＦ信号を伝送する印刷回路導体に電気的に接続され、印刷回路板の遠位の縁に取り付けられたピンがシャシ印刷回路のリード線にそれぞれ電気的に接続されることにより、シャシ印刷回路板上に取り付けられる図１の同調器モジュールを示す単純化された側面図である。
【符号の説明】
１０  同調器
１２  印刷回路板
１３  同調回路板の縁
１４  シールドケース
１４ａ  シールドケースの枠台
１４ｂ  シールドケースの上蓋
１４ｃ  シールドケースの底蓋
１５  ピン／リード線
１６  バネ付きフィンガ
１８  つまみ
２０  シャシ印刷回路板
２８  導体
３０  開口
【図１】
0004582961.tif 000002
【図２】
0004582961.tif 000003